(57)【特許請求の範囲】
【請求項１】
映像を受信する映像受信部と、
補助データを受信する補助データ受信部と、
前記映像に前記補助データを電子透かしとして埋め込む電子透かし埋め込み部と、
前記電子透かしが埋め込まれた映像を表示する表示部と、
前記表示部に当たる光強度を測定する光強度測定部と、
前記光強度の測定結果に応じて、前記電子透かしを埋め込む際の強度を計算する電子透かし強度乗数計算部と、
を備え、
前記電子透かし埋め込み部は、前記強度に応じた振幅で前記電子透かしを前記映像に埋め込む、映像表示装置。
【発明の詳細な説明】
【技術分野】
【０００１】
本発明は、映像へ電子透かしを埋め込む技術に関する。
【背景技術】
【０００２】
近年、電子透かしを映像に埋め込む技術が、映像の著作権管理や映像へメタデータを付与することに適用されている（例えば特許文献１、２参照）。
【先行技術文献】
【特許文献】
【０００３】
【特許文献１】特開２０１１−１９９８９２号公報
【特許文献２】特開２００３−２１９１４８号公報
【発明の概要】
【発明が解決しようとする課題】
【０００４】
ところで、従来技術では、映像への電子透かし埋め込みは、撮影時、あるいは編集時に行われていた。一般的に、アナログ映像を除き、電子透かし埋め込み済み映像を配送する場合には、映像をＭＰＥＧ（Moving Picture Experts Group）規格やＨ．２６４規格（ＩＴＵ−Ｔ）を用いて圧縮することがある。
【０００５】
しかしながら、映像を圧縮すると電子透かしが弱まってしまう。そのため、圧縮した映像からは電子透かしが読み出しにくいという問題があった。読み出し難さを解消するため、圧縮する予定の映像に対して予め強く電子透かしを埋め込むことも可能である。しかしながら、強く電子透かしを埋め込むことによって、映像の美観が損なわれてしまうという問題があった。
【０００６】
上記事情に鑑み、本発明は、映像に対する圧縮による電子透かしデータの取得精度の低下を抑える技術の提供を目的としている。
【課題を解決するための手段】
【０００７】
本発明の一態様は、映像を受信する映像受信部と、補助データを受信する補助データ受信部と、前記映像に前記補助データを電子透かしとして埋め込む電子透かし埋め込み部と、前記電子透かしが埋め込まれた映像を表示する表示部と、を備える映像表示装置である。
【０００８】
本発明の一態様は、上記の映像表示装置であって、前記表示部付近の光強度を測定する光強度測定部と、前記光強度の測定結果に応じて、前記電子透かしを埋め込む際の強度を計算する電子透かし強度乗数計算部と、をさらに備え、前記電子透かし埋め込み部は、前記強度に応じた振幅で前記電子透かしを前記映像に埋め込む。
【０００９】
本発明の一態様は、上記の映像表示装置であって、前記映像の複雑さの程度を表す複雑度を計算する複雑度計算部と、前記複雑度に応じて、前記電子透かしを埋め込む際の強度を計算する電子透かし強度乗数計算部と、をさらに備え、前記電子透かし埋め込み部は、前記強度に応じた振幅で前記電子透かしを前記映像に埋め込む。
【００１０】
本発明の一態様は、上記の映像表示装置であって、受信された圧縮映像を非圧縮映像に変換するデコーダと、前記非圧縮映像をインターレース走査方式からプログレッシブ走査方式に変換するインターレース解除部と、をさらに備え、前記電子透かし埋め込み部は、前記プログレッシブ走査方式に変換された前記非圧縮映像に対して前記電子透かしを前記映像に埋め込む。
【００１１】
本発明の一態様は、上記の映像表示装置であって、前記映像受信部及び前記電子透かし埋め込み部は一体の筐体に内蔵されている。
【発明の効果】
【００１２】
本発明により、映像に対する圧縮による電子透かしデータの取得精度の低下を抑えることが可能となる。そのため、電子透かしデータの読み取り易さを優先することによる映像の美観損失を生じることなく、電子透かしを映像に埋め込むことが可能となる。
【図面の簡単な説明】
【００１３】
【図１】本発明の第１実施形態による映像表示装置の略構成を示すブロック図である。
【図２】本発明の第１実施形態による映像表示装置の動作を説明するためのフローチャートである。
【図３】本発明の第２実施形態による映像表示装置の構成を示すブロック図である。
【図４】本発明の第２実施形態による映像表示装置の動作を説明するためのフローチャートである。
【図５】本発明の第３実施形態による映像表示装置の構成を示すブロック図である。
【図６】本発明の第３実施形態において、複雑度ＣＯＭＰの計算方法を説明するための画素配列を示す概念図である。
【図７】本発明の第３実施形態において、複雑度ＣＯＭＰの計算方法を説明するための画素配列を示す概念図である。
【図８】本発明の第３実施形態による映像表示装置の動作を説明するためのフローチャートである。
【図９】本発明の第４実施形態によるデジタルテレビ放送受像機の構成を示すブロック図である。
【図１０】本発明の第４実施形態による映像表示装置を応用したデジタルテレビ放送受像機の動作を説明するためのフローチャートである。
【図１１】本発明の第５実施形態による映像表示装置の構成を示すブロック図である。
【図１２】本発明の第５実施形態による電子透かし検出装置の構成を示すブロック図である。
【図１３】本発明の第５実施形態による映像表示装置の動作を説明するためのフローチャートである。
【図１４】本発明の第５実施形態による電子透かし検出装置の動作を説明するためのフローチャートである。
【発明を実施するための形態】
【００１４】
本発明の実施形態について説明する。本発明の実施形態は、伝送路を介して受信した映像に対し電子透かしを埋め込み表示する。表示された映像は、他の装置（電子透かし検出装置）によって撮像され、埋め込まれている電子透かしが検出される。
本発明の実施形態では、映像への電子透かしの埋め込みのタイミングを、映像表示装置において表示する直前としている。このような処理は、例えば、電子透かしを映像表示装置にて埋め込むことによって実現している。このような構成によれば、映像表示装置に対して伝送される映像伝送信号には電子透かしが埋め込まれていない。そのため、映像伝送信号がいかに圧縮されていても電子透かしはその影響を受けない。したがって、映像に対する圧縮の程度にかかわらず、電子透かし検出装置によって電子透かしのデータを精度良く取得することが可能となる。よって、電子透かしデータの読み取り易さを優先することによる映像の美観損失を生じることなく、映像に電子透かしを埋め込むことが可能となる。
以下、本発明の各実施形態について説明する。
【００１５】
［第１実施形態］
図１は、本発明の第１実施形態による映像表示装置の略構成を示すブロック図である。映像表示装置１は、映像受信部１０、補助データ受信部１１、電子透かし埋め込み部１２、表示部１３を備えている。映像受信部１０及び電子透かし埋め込み部１２は、一体の筐体に内蔵されるように構成されても良い。一体の筐体に内蔵されているとは、一般的なユーザにとっては筐体を開けて映像受信部１０及び電子透かし埋め込み部１２を正常に動作させることが困難となるように構成されていることをいう。したがって、映像受信部１０によって受信された映像のデータを電子透かし埋め込み部１２に到達する前に取り出すことが困難となるように構成されている。
【００１６】
映像受信部１０は、外部装置（図示略）又はネットワーク（図示略）などを介して圧縮された映像を受信する。映像受信部１０は、圧縮された映像を非圧縮の映像に変換する。変換後の映像は、フレームと呼ぶ静止画の集合である。フレームは、所定の周期毎に切り替わり、動きのある映像を構成する。切り替わりの周波数は約３０Ｈｚが一般的な値であるが、他の値も採り得る。映像の走査方式は、インターレースではなく、プログレッシブとする。
【００１７】
補助データ受信部１１は、外部装置（図示略）から補助データを受信する。補助データの伝送路は、デジタルデータを送れる経路であればどのようなものでも良い。補助データは、デジタルデータであればどのような情報を含むデータであっても良い。補助データは、例えば、電話番号、インターネットアドレス、テキストなどである。
【００１８】
電子透かし埋め込み部１２は、受け取った映像を表示部１３で描画する前に、電子透かし技術を用いて、非圧縮の映像に補助データを電子透かしとして埋め込む。電子透かしは、映像に補助データを付与する技術であるが、付与していることが肉眼では分かり難いという特徴がある。ここで用いる電子透かし技術は、映像に補助データを付与可能なものであれば、どのような種類のものでも利用できる。本実施形態では、例えば特許文献１や特許文献２に記載されている電子透かし技術を用いる。表示部１３は、ＣＲＴ（Cathode Ray Tube）表示装置、液晶表示装置、プラズマ表示装置、有機ＥＬ（Electro Luminescence）表示装置などの画像表示装置である。表示部１３は、電子透かし埋め込み部１２によって電子透かしが埋め込まれた映像を表示する。
【００１９】
電子透かし埋め込みとは、映像を構成する各フレームに補助データから作成した電子透かし模様を加算、あるいは上書きすることである。各フレームにどのような電子透かし模様を埋め込むかは、使用する電子透かし技術に依存する。特許文献１の電子透かし技術をはじめとする動画用電子透かし技術では、所定の枚数の連続したフレームの並びに対し、所定の枚数と同じ枚数の所定の演算で生成された電子透かし模様をフレーム毎に埋め込む。
【００２０】
また、特許文献２の電子透かし技術を始めとする静止画用電子透かし技術では、各フレームを１枚の静止画として扱い、各静止画に対し所定の演算で生成された１枚の電子透かし模様を埋め込む。埋め込み方法の詳細説明は、各々の特許文献１、２にゆずる。電子透かし埋め込み部１２は、１個の集積回路として構成することも可能である。
【００２１】
電子透かし模様は、（１）、（２）のように表すことができる。
Ｒ（ｘ，ｙ），Ｇ（ｘ，ｙ），Ｂ（ｘ，ｙ）      ……（１）
Ｙ（ｘ，ｙ），Ｃｂ（ｘ，ｙ），Ｃｒ（ｘ，ｙ）  ……（２）
【００２２】
（１）は、電子透かし模様をＲＧＢ成分で表現したものである。ｘ，ｙは２次元座標を、Ｒ（ｘ，ｙ）はｘ，ｙ位置に置けるＲ成分を、Ｇ（ｘ，ｙ）はｘ，ｙ位置におけるＧ成分を、Ｂ（ｘ，ｙ）はｘ，ｙ位置におけるＢ成分を表す。
【００２３】
（２）は、電子透かし模様をＹＣｂＣｒ成分で表現したものである。ｘ，ｙは２次元座標を、Ｙ（ｘ，ｙ）はｘ，ｙ位置に置けるＹ成分を、Ｃｂ（ｘ，ｙ）はｘ，ｙ位置におけるＣｂ成分を、Ｃｒ（ｘ，ｙ）はｘ，ｙ位置におけるＣｒ成分を表す。ＲＧＢ成分とＹＣｂＣｒ成分とは、相互に変換可能なため、透かし模様を表す場合には、（１）あるいは（２）のいずれかを用いれば十分であり、両方を同時に用いることはない。本発明の第１実施形態では、ＲＧＢとＹＣｂＣｒ成分の６成分をまとめて説明しているが、実際に電子透かし技術を用いるときは、ＲＧＢの３成分か、ＹＣｂＣｒの３成分のみを用いる。
【００２４】
電子透かし模様は、一部の成分からのみ構成されることもあり、そのため、Ｒ，Ｇ，Ｂ，Ｙ，Ｃｂ，Ｃｒ成分のいずれかは定常的にゼロ値を取ることもあり得る。
【００２５】
電子透かしを埋め込まれた映像は、埋め込まれる前の映像と同一の形式（プログレッシブ走査方式の非圧縮映像）を有するので、電子透かしが埋め込まれていない映像を描画する方法と同じ方法にて、一般の液晶表示装置やプラズマ表示装置等の表示部１３にて描画される。プログレッシブ走査方式の非圧縮映像の表示部１３への描画方法は、一般的なものであるので説明を省略する。
【００２６】
次に、第１実施形態の動作について説明する。
図２は、本発明の第１実施形態による映像表示装置の動作を説明するためのフローチャートである。まず、補助データ受信部１１で補助データを受信し（ステップＳａ１）、映像受信部１０で映像を受信する（ステップＳａ２）。次に、電子透かし埋め込み部１２で映像に補助データを電子透かしとして埋め込む（ステップＳａ３）。そして、表示部１３で電子透かし埋め込み済映像を表示する(ステップＳａ４）。
【００２７】
［第２実施形態］
次に、本発明の第２実施形態について説明する。
図３は、本発明の第２実施形態による映像表示装置の構成を示すブロック図である。図３において、図１に対応する部分には同一の符号を付けて説明を省略する。光強度測定部２０は、表示部の近傍に設置され、表示部１３に当たる光の強度Ｌを測定する。光強度測定部２０には、フォトダイオード等の光電変換素子を用いる。光電変換素子は、光が当たると、光の強さに比例した光電流が流れる。該光電流を測定することによって光の強さを知ることができる。電子透かし強度乗数計算部２１は、以下の数式（３）にて電子透かし強度乗数ｍ１を算出する。
ｍ１＝（Ｌ−Ｔ）×Ｋ  ……（３）
【００２８】
Ｔは予め定めた閾値、Ｋは予め定めた定数である。電子透かし強度乗数ｍ１は、電子透かし埋め込み時の電子透かし模様の強度に乗ずる係数である。
【００２９】
ここで、電子透かし模様の強度の概念を導入する。電子透かし模様の強度とは、各成分の振幅の大きさのことであり、成分毎に規定される。電子透かし模様のＲ，Ｇ，Ｂ，Ｙ，Ｃｂ，Ｃｒ成分の強度を表す数式（４）〜（９）を以下に示す。
｜ｍａｘ（Ｒ（ｘ，ｙ））−ｍｉｎ（Ｒ（ｘ，ｙ））｜  ………（４）
｜ｍａｘ（Ｇ（ｘ，ｙ））−ｍｉｎ（Ｇ（ｘ，ｙ））｜  ………（５）
｜ｍａｘ（Ｂ（ｘ，ｙ））−ｍｉｎ（Ｂ（ｘ，ｙ））｜  ………（６）
｜ｍａｘ（Ｙ（ｘ，ｙ））−ｍｉｎ（Ｙ（ｘ，ｙ））｜  ………（７）
｜ｍａｘ（Ｃｂ（ｘ，ｙ））−ｍｉｎ（Ｃｂ（ｘ，ｙ））｜  …（８）
｜ｍａｘ（Ｃｒ（ｘ，ｙ））−ｍｉｎ（Ｃｒ（ｘ，ｙ））｜  …（９）
ここでｍａｘ（）とｍｉｎ（）とは、それぞれ括弧内の値のとりうる最大値と最小値とを表す関数である。
【００３０】
電子透かし埋め込み部１２は、電子透かし模様の強度にｍ１を乗じてから映像に埋め込む。電子透かし模様の強度にｍ１を乗じることの意味は、電子透かし模様が（１）のＲＧＢ成分にて規定されているとき、ＲＧＢ各成分にｍ１を乗じることである。（２）のＹＣｂＣｒ成分にて規定されているときは、ＹＣｂＣｒ各成分にｍ１を乗じることである。これにより、Ｌが大きいとき、すなわち表示部１３に光が当たって映像の見た目のコントラストが下がるときは、電子透かし模様の強度を大きくして埋め込むことになる。
【００３１】
一般に光が当たって映像の見た目のコントラストが下がったときは、電子透かしの検出が難しくなる。また、一般に電子透かし模様の強度を大きくすると、電子透かしを検出しやすくなる。ゆえに、電子透かし模様の強度を大きくすることにより、見た目のコントラストが下がった映像からの電子透かし検出性能を補うことができる。
【００３２】
図４は、本発明の第２実施形態による映像表示装置の動作を説明するためのフローチャートである。まず、補助データ受信部１１で補助データを受信し（ステップＳｂ１）、映像受信部１０で映像を受信する（ステップＳｂ２）。次に、光強度測定部２０で光の強度を測定し（ステップＳｂ３）、電子透かし強度乗数計算部２１にて電子透かし強度乗数ｍ１を算出する（ステップＳｂ４）。次に、電子透かし埋め込み部１２で電子透かし模様の強度をｍ１倍して、補助データを映像に埋め込む（ステップＳｂ５）。そして、表示部１３で電子透かし埋め込み済映像を表示する（ステップＳｂ６）。
【００３３】
［第３実施形態］
次に、本発明の第３実施形態について説明する。
図５は、本発明の第３実施形態による映像表示装置１の構成を示すブロック図である。図５において、図１に対応する部分には同一の符号を付けて説明を省略する。複雑度計算部３０は、映像１フレーム分を検査し、複雑度ＣＯＭＰを算出する。複雑度ＣＯＭＰは、映像の複雑さの程度を表す値である。
【００３４】
複雑度ＣＯＭＰの計算について説明する。
図６及び図７は、本発明の第３実施形態において、複雑度ＣＯＭＰの計算方法を説明するための画素配列を示す概念図である。映像１フレームの各画素について数式（１０）でＺを計算する。数式（１０）中の記号Ａ〜Ｉは、注目画素の輝度がＡ、その周囲の画素の輝度がＢ〜Ｉとなるように取る（図６を参照）。このとき、輝度は０〜２５５の値を取るものとし、０が黒色、２５５が白色を表す。注目画素Ａが映像の外縁にあって、Ｂ〜Ｉの一部の画素が存在しないときは、存在しない画素の輝度を１２８とする。そして、全画素のＺを加え合わせたものを複雑度ＣＯＭＰとする。
【００３５】
Ｚ＝Ａ×８−（Ｂ＋Ｃ＋Ｄ＋Ｅ＋Ｆ＋Ｇ＋Ｈ＋Ｉ）  ……（１０）
【００３６】
複雑度ＣＯＭＰの計算は、次のように行うこともできる。注目画素の輝度をＡとして、その周辺画素の輝度をＢ〜Ｙとする（図７を参照）。なお、画素の輝度を表す記号Ａ〜Ｙは、図７と数式（１１）でのみ用い、記号名が数式（１１）以外の式と同じであっても無関係である。このとき、輝度は０〜２５５の値を取るものとし、０が黒色、２５５が白色を表す。注目画素Ａが映像の外縁か、外縁付近にあって、Ｂ〜Ｙの一部の画素が存在しないときは、存在しない画素の輝度を１２８とする。映像１フレームの各画素について、数式（１１）でＺを計算する。そして、全画素のＺを加え合わせたものを複雑度ＣＯＭＰとする。
【００３７】
Ｚ＝Ａ×３２−（Ｂ＋Ｃ＋Ｄ＋Ｅ＋Ｆ＋Ｇ＋Ｈ＋Ｉ）×２
−（Ｊ＋Ｋ＋Ｌ＋Ｍ＋Ｎ＋Ｏ＋Ｐ＋Ｑ＋Ｒ＋Ｓ＋Ｔ＋Ｕ＋Ｖ＋Ｗ＋Ｘ＋Ｙ）
……（１１）
【００３８】
電子透かし強度乗数計算部３１は、数式（１２）にて電子透かし強度乗数ｍ２を計算する。
【００３９】
ｍ２＝ＣＯＭＰ×Ｌ＋Ｐ  ……（１２）
【００４０】
Ｌ，Ｐは予め定めた定数である。電子透かし埋め込み部１２は、電子透かし模様の振幅にｍ２を乗じてから映像へ埋め込む。複雑度ＣＯＭＰが大きいとき、すなわち映像が複雑なときは、電子透かし模様の強度を大きくして埋め込むことになる。複雑度ＣＯＭＰが大きいときは、数式（１０）及び数式（１１）から、映像中の隣接した画素の輝度差が大きいことを意味する。これは輝度の振幅が大きいと言い換えても良い。
【００４１】
ＲＧＢ成分表記では、輝度はＲＧＢ全ての成分を含み、ＹＣｂＣｒ成分表記では、輝度はＹ成分となるから、電子透かし模様がＲ，Ｇ，Ｂ、あるいはＹ成分からなるときは、輝度差は電子透かし模様に対する雑音となり、電子透かし検出を妨害する。そこで、複雑度ＣＯＭＰが大きいときに電子透かしを強く埋め込むことで、電子透かし検出性能を補うことができる。映像が複雑なときは、強度の大きい電子透かしであっても目立ちにくいため、電子透かし強度を大きくしても映像の美観に与える影響は小さい。
【００４２】
また、上記理由からＣｂ、あるいはＣｒ成分のみで電子透かし模様を構成する電子透かし技術の場合には、本構成例は無意味である。その場合には、複雑度ＣＯＭＰの計算に輝度ではなく、Ｃｂ、あるいはＣｒ成分を用いることで、本構成例を意味のあるものとすることができる。
【００４３】
図８は、本発明の第３実施形態による映像表示装置１の動作を説明するためのフローチャートである。まず、補助データ受信部１１で補助データを受信し（ステップＳｃ１）、映像受信部１０で映像を受信する（ステップＳｃ２）。次に、複雑度計算部３０で複雑度ＣＯＭＰを算出し（ステップＳｃ３）、電子透かし強度乗数計算部３１にて電子透かし強度乗数ｍ２を算出する（ステップＳｃ４）。次に、電子透かし埋め込み部１２で電子透かし模様の強度をｍ２倍して、補助データを映像に埋め込む（ステップＳｃ５）。そして、表示部１３で電子透かし埋め込み済映像を表示する（ステップＳｃ６）。
【００４４】
［第４実施形態］
次に、本発明の第４実施形態について説明する。
図９は、本発明の第４実施形態による、映像表示装置１を応用したデジタルテレビ放送受像機４０の構成を示すブロック図である。なお、図９において、図１に対応する部分には同一の符号を付けて説明を省略する。映像受信部４１は、電波として送られてきた映像信号を受信、復調してＭＰＥＧ−２（エムペグツー、ＩＳＯ／ＩＥＣ  １３８１８）符号化映像とする。デコーダ部４２は、ＭＰＥＧ−２符号化映像を非圧縮映像に変換する。
【００４５】
デコーダ部４２は、特別なものでなく、一般的に使われているもので良い。例えば、地上波デジタルテレビ放送受像機には、ＭＰＥＧ−２符号化映像を非圧縮映像に変換するデコーダが内蔵されている。本発明をデジタルテレビ放送受像機に適用する場合には、元々内蔵されているデコーダを用いる。デコーダ部４２の出力の非圧縮映像は、インターレース走査方式である。インターレース解除部４３は、映像をインターレース走査方式からプログレッシブ走査方式に変更する。
【００４６】
なお、特別な例として、映像中に補助データが挿入されている場合がある。例えば地上波デジタルテレビ放送では、データ放送用の伝送路があり、映像とは別のデジタルデータを送ることができる。地上波デジタル放送のデータ放送の表現形式は、ＡＲＩＢ（電波産業会、Association of Radio Industries and Businesses）により策定されたＢＭＬ（Broadcast Markup Language）によって規定されている。このデータ放送路を用いて補助データを伝送することができる。この場合、補助データ受信部１１は、映像受信部４１から映像信号を分岐して受信し、その中の補助データのみを抜き出す。
【００４７】
図１０は、本発明の第４実施形態による、映像表示装置を応用したデジタルテレビ放送受像機４０の動作を説明するためのフローチャートである。まず、補助データ受信部１１で補助データを受信し（ステップＳｄ１）、映像受信部４１でＭＰＥＧ−２形式の映像を受信する（ステップＳｄ２）。次に、デコーダ部４２でＭＰＥＧ−２形式映像を非圧縮映像に変換し（ステップＳｄ３）、インターレース解除部４３にて非圧縮映像をインターレース走査方式からプログレッシブ走査方式へ変更する（ステップＳｄ４）。次に、電子透かし埋め込み部１２で補助データを映像に埋め込む（ステップＳｄ５）。そして、表示部１３で電子透かし埋め込み済映像を表示する（ステップＳｄ６）。
【００４８】
［第５実施形態］
次に、本発明の第５実施形態について説明する。
図１１は、本発明の第５実施形態による映像表示装置１の構成を示すブロック図である。なお、図１１において、図１に対応する部分には同一の符号を付けて説明を省略する。ユニークＩＤ５０は、本映像表示装置１内（のメモリ）に予め記憶された長さ１２８ビット以上の識別情報である。ユニークＩＤ５０は、装置に１対１に対応し、世界で唯一のものとなるように決められている。電子透かし埋め込み部１２は、ユニークＩＤ５０と補助データのビット列とを順に並べたデータを映像に電子透かし技術を用いて埋め込む。ユニークＩＤ５０は、１個の集積回路として実装された電子透かし埋め込み部１２内に記憶することもでき、この方が装置内に記憶箇所を別途設けるよりも簡便となる。
【００４９】
このように、ユニークＩＤ５０は、映像表示装置１を一意に特定可能な情報である。ゆえに、該ユニークＩＤ５０を用いることにより、電子透かしがどの装置から検出された（あるいは、どの装置で埋め込まれた）かが明らかになる。これを用いて、次のような広告サービスを提供することができる。
【００５０】
図１２は、本発明の第５実施形態による電子透かし検出装置６０の構成を示すブロック図である。図１２において、電子透かし検出部６１は、映像に埋め込まれた電子透かしを検出し、検出された電子透かしからユニークＩＤと補助データ（キーワード）とを取得する。データ送信部６２は、ユニークＩＤと補助データ（キーワード）とを外部装置（図示略）に送信する。データ受信部６３は、外部装置から、キーワードに対応する商品名を受信する。商品名提示部６４は、液晶表示装置などからなり、受信した商品名を提示する。
【００５１】
映像には、ユニークＩＤと補助データとしてシーン毎に異なるキーワードとが電子透かしとして埋め込まれているものとする。そのため、電子透かし検出装置６０は、電子透かしを検出した時点のシーンに対応するキーワードとユニークＩＤとを知ることができる。さらに、外部装置に推薦方式を構成実装しておく。この推薦方式は、例えば下記文献に記載された技術を実装することによって実現されても良い。片山淳、他３名、“不統一対象属性を利用する協調フィルタリング推薦方式の検討”、ＦＩＴ２００３、２００３年９月１０日。電子透かし検出装置６０は、上記キーワードと上記ユニークＩＤを外部装置に送る。外部装置は、キーワードを推薦方式の属性として、ユニークＩＤを推薦方式の利用者として動作し、商品名を結果として返す。電子透かし検出装置６０は、返された商品名を提示する。この商品名は、シーン毎のキーワードとユニークＩＤの装置の所有者に嗜好されやすいものとなる。
【００５２】
図１３は、本発明の第５実施形態による映像表示装置１の動作を説明するためのフローチャートである。まず、補助データ受信部１１で補助データ（キーワード）を受信し（ステップＳｅ１）、映像受信部１０で映像を受信する（ステップＳｅ２）。次に、電子透かし埋め込み部１２がユニークＩＤ５０を読み出し（ステップＳｅ３）、ユニークＩＤ５０と補助データ（キーワード）とを電子透かしとして映像に埋め込む（ステップＳｅ４）。そして、表示部１３で電子透かし埋め込み済映像を表示する（ステップＳｅ５）。
【００５３】
図１４は、本発明の第５実施形態による電子透かし検出装置６０の動作を説明するためのフローチャートである。まず、電子透かし検出部６１で映像に埋め込まれた電子透かしを検出し（ステップＳｆ１）、検出された電子透かしからユニークＩＤと補助データ（キーワード）とを取得する（ステップＳｆ２）。次に、データ送信部６２でユニークＩＤと補助データ（キーワード）とを外部装置７０に送信する（ステップＳｆ３）。次に、データ受信部６３で外部装置７０から、キーワードに対応する商品名を受信し（ステップＳｆ４）、商品名提示部６４で受信した商品名を提示する（ステップＳｆ５）。
【００５４】
なお、上述した第５実施形態では、映像表示装置１と電子透かし検出装置６０とは別体の構成であったが、映像表示装置１と電子透かし検出装置６０とを１つの装置内に搭載するようにしてもよい。
【００５５】
上述した第１〜第５実施形態によれば、電子透かし埋め込みが映像伝送前には行われず、表示直前に行われる。そのため、映像伝送路において映像信号がどのように圧縮されていても電子透かしはその影響を受けない。すなわち、映像伝送路における圧縮の程度にかかわらずに、電子透かしデータを映像に埋め込むことができる。したがって、電子透かし検出装置による電子透かしの検出性能が、映像伝送路の圧縮により損なわれることがない。
【００５６】
また、表示部に当たる環境光の大きさによって電子透かしの埋め込み強度が調整される。環境光の影響が大きいことにより表示される映像のコントラストが下がってしまう状況であっても、電子透かしの埋め込み強度が上がるため、電子透かし検出装置による電子透かしの検出を精度良く実行することが可能となる。
【００５７】
以上、この発明の実施形態について図面を参照して詳述してきたが、具体的な構成はこの実施形態に限られるものではなく、この発明の要旨を逸脱しない範囲の設計等も含まれる。
【符号の説明】
【００５８】
１…映像表示装置，  １０…映像受信部，  １１…補助データ受信部，  １２…電子透かし埋め込み部，  １３…表示部，  ２０…光強度測定部，  ２１…電子透かし強度乗数計算部，  ３０…複雑度計算部，  ３１…電子透かし強度乗数計算部，  ４０…デジタルテレビ放送受像機，  ４１…映像受信部，  ４２…デコーダ部，  ４３…インターレース解除部，  ５０…ユニークＩＤ，  ６０…電子透かし検出装置，  ６１…電子透かし検出部，  ６２…データ送信部，  ６３…データ受信部，  ６４…商品名提示部
【図１】
0005735437.tif 000002
【図２】
0005735437.tif 000003
【図３】
0005735437.tif 000004
【図４】
0005735437.tif 000005
【図５】
0005735437.tif 000006
【図６】
0005735437.tif 000007
【図７】
0005735437.tif 000008
【図８】
0005735437.tif 000009
【図９】
0005735437.tif 000010
【図１０】
0005735437.tif 000011
【図１１】
0005735437.tif 000012
【図１２】
0005735437.tif 000013
【図１３】
0005735437.tif 000014
【図１４】
0005735437.tif 000015